(57)【要約】【課題】  ＨＤＤに記録されたＤＶＤ−ＶＲフォーマットに準拠したデジタル映像音声信号を、ＤＶＤ−Ｖｉｄｅｏフォーマットに準拠したＤＶＤにダビングする際に、フォーマット変換に必要な処理量を低減し、異なるフォーマット間でのダビングの高速化を図る。【解決手段】  入力する映像音声信号を記録する際に、ＤＶＤ−ＶＲフォーマットに準拠して形成したデジタル映像音声ストリーム４１のＲＤＩパックを、ＶＯＢＵ＿１ＳＴＲＥＦ＿ＥＡ、ＶＯＢＵ＿２ＮＤＲＥＦ＿ＥＡ、ＶＯＢＵ＿３ＲＤＲＥＦ＿ＥＡ、Ａ＿ＳＹＮＣＡを、ＮＶパックにおける該当位置に格納したＲＤＩ／ＤＳＩパックに替えて記録することで、ＤＶＤ−Ｖｉｄｅｏフォーマットに準拠したＤＶＤにダビングする際の、フォーマット変換に伴う演算とデータ移動作業を省略する。【選択図】        図２
2005141788.tif 000002
【特許請求の範囲】
【請求項１】
入力したアナログ又はデジタル非圧縮の映像及び／又は音声信号を、第１のフォーマットに則って形成したデジタル映像音声ストリームに所定のフォーマット情報を加えた第１のデジタル映像及び／又は音声信号に変換する第１の変換手段と、
前記第１のデジタル映像及び／又は音声信号を第１の記録媒体に記録する手段と、
前記第１の記録媒体に記録された前記第１のデジタル映像及び／又は音声信号を再生する手段と、
再生した前記第１のデジタル映像及び／又は音声信号を第２のフォーマットに則った第２のデジタル映像及び／又は音声信号に変換する第２の変換手段と、
前記第２のデジタル映像及び／又は音声信号を第２の記録媒体に記録する手段と
を備え、
前記第１の変換手段は、前記入力したアナログ又はデジタル非圧縮の映像及び／又は音声信号を前記第１のデジタル映像及び／又は音声信号に変換する際に、前記第２のフォーマットに準ずる前記所定のフォーマット情報を取得すると共に、該所定のフォーマット情報を、前記第２のフォーマットに準ずる配列位置に対応させて配置したナビゲーションパックを生成するナビゲーションパック生成手段を有することを特徴とするデジタル記録再生装置。
【請求項２】
前記第１のフォーマットがＤＶＤ−ＶＲフォーマットであり、前記第２のフォーマットがＤＶＤ−Ｖｉｄｅｏフォーマットであることを特徴とする請求項１記載のデジタル記録再生装置。
【請求項３】
前記第１の記録媒体がハードディスクであり、前記第２の記録媒体がＤＶＤであることを特徴とする請求項２記載のデジタル記録再生装置。
【請求項４】
前記第２のフォーマットに準ずる前記所定のフォーマット情報は、映像及び／又は音声信号のアドレス情報を含むものであることを特徴とする請求項２又は３記載のデジタル記録再生装置。
【請求項５】
前記ナビゲーションパックは、前記第１のフォーマットに準ずる所定のフォーマット情報と、前記第２のフォーマットに準ずる前記所定のフォーマット情報とを共に含んで生成されることを特徴とする請求項１乃至４の何れかに記載のデジタル記録再生装置。
【請求項６】
前記第１のフォーマットに準ずる所定のフォーマット情報は、ＤＶＤ−ＶＲフォーマットのＲＤＩパックの情報であり、
前記ナビゲーションパック生成手段においては、前記第２のフォーマットに準ずる前記所定のフォーマット情報がＶＯＢＵ＿１ＳＴＲＥＦ＿ＥＡ、ＶＯＢＵ＿２ＮＤＲＥＦ＿ＥＡ、ＶＯＢＵ＿３ＲＤＲＥＦ＿ＥＡ及びＡ＿ＳＹＮＣＡのうちの少なくもいずれか１つであって、それぞれを、前記ＲＤＩパック先頭からカウントした配置位置が、ＤＶＤ−ＶｉｄｅｏフォーマットにおけるＮＶパック先頭からカウントした配置位置に準じて配置するものであることを特徴とする請求項５記載のデジタル記録再生装置。
【発明の詳細な説明】
【技術分野】
【０００１】
本発明は、デジタル記録再生装置に関し、特にデジタル映像及び／又は音声信号をハードディスク等の記録媒体に一旦記録し、更にＤＶＤ等の別の記録媒体にダビングするデジタル記録再生装置に関する。
【背景技術】
【０００２】
従来この種の装置として、例えばＤＶＤ−ＶＲ方式で記録されたタイトル内に異なる解像度をもつ複数のストリームが存在した場合、自動的に解像度が異なる部分でタイトルを分割して、ＤＶＤ−Ｖｉｄｅｏ方式のデータに変換処理を行うようにしたものや（例えば、特許文献１参照）、ダビング時のフォーマット変換に備え、必要な情報をあらかじめ記録媒体に挿入しているものもある（例えば、特許文献２参照）。
【０００３】
【特許文献１】特開２００３―１５３１７０号公報（第２頁、図１）
【特許文献２】特開２００３―１５１２１５号公報（第３頁、図１）
【発明の開示】
【発明が解決しようとする課題】
【０００４】
例えばＤＶＤ（Ｄｉｇｉｔａｌ  Ｖｅｒｓａｔｉｌｅ  Ｄｉｓｃ）−ＶＲ（Ｖｉｄｅｏ  Ｒｅｃｏｒｄｉｎｇ）方式で記録された映像音声信号をＤＶＤ−Ｖｉｄｅｏ方式で記録される記録媒体にダビングする場合、ＤＶＤ−ＶＲフォーマットからＤＶＤ−Ｖｉｄｅｏフォーマット変換する必要がある。この際に、変換に必要な情報をＤＶＤ−Ｖｉｄｅｏフォーマットに即した位置に配置する必要があり、このための演算や、情報の抽出と加工、再挿入といった手順に時間がかかるため、ダビング時間を短縮できない問題があった。
【０００５】
本発明の目的は、上記した問題を解決し、映像音声信号をデジタルデータのまま異なるフォーマットで記録する記録媒体間でダビングするデジタル記録再生装置において、ダビング時に別フォーマットに変換するのに必要な処理を軽減し、ダビング時間の短縮を可能とすることにある。
【課題を解決するための手段】
【０００６】
本発明によるデジタル記録再生装置は、入力したアナログ又はデジタル非圧縮の映像及び／又は音声信号を、第１のフォーマットに則って形成したデジタル映像音声ストリームに所定のフォーマット情報を加えた第１のデジタル映像及び／又は音声信号に変換する第１の変換手段と、前記第１のデジタル映像及び／又は音声信号を第１の記録媒体に記録する手段と、前記第１の記録媒体に記録された前記第１のデジタル映像及び／又は音声信号を再生する手段と、再生した前記第１のデジタル映像及び／又は音声信号を第２のフォーマットに則った第２のデジタル映像及び／又は音声信号に変換する第２の変換手段と、前記第２のデジタル映像及び／又は音声信号を第２の記録媒体に記録する手段と
を備え、
前記第１の変換手段は、前記入力したアナログ又はデジタル非圧縮の映像及び／又は音声信号を前記第１のデジタル映像及び／又は音声信号に変換する際に、前記第２のフォーマットに準ずる前記所定のフォーマット情報を取得すると共に、該所定のフォーマット情報を、前記第２のフォーマットに準ずる配列位置に対応させて配置したナビゲーションパックを生成するナビゲーションパック生成手段を有することを特徴とする。
【発明の効果】
【０００７】
本発明によれば、第１の記録媒体に記録された第１のフォーマットに則って形成した第１のデジタル映像信号を、第２のフォーマットに則った第２のデジタル映像及び／又は音声信号に変換して第２の記録媒体に記録するダビング時に、生成のための演算に時間がかかる所定のフォーマット情報、及びその配列位置がすでに決定されているため、ダビング時のフォーマット変換に伴う、演算量及び位置決めのための情報の抽出と加工、再挿入といった手順が共に削減できるため、ダビング所要時間を短縮することができる。
【発明を実施するための最良の形態】
【０００８】
実施の形態１．
図１は、本発明によるデジタル記録再生装置に基づく実施の形態１のデジタル記録再生装置の要部構成を示すブロック図である。
【０００９】
同図において、入力アナログ映像信号ＩＮＡＶを入力するビデオデコーダ１０の出力部はＡＶエンコーダ１２の一方の入力部に接続され、入力アナログ音声信号ＩＮＡＡを入力する音声ＡＤＣ（Ａｎａｌｏｇ  ｔｏ  Ｄｉｇｉｔａｌ  Ｃｏｎｖｅｒｔｅｒ）１１の出力部はＡＶエンコーダ１２の他方の入力部に接続され、ＡＶエンコーダ１２の出力部は入出力バッファ回路１６の入力部に接続されている。入出力バッファ回路１６の出力部はＡＶデコーダ１５の入力部に接続され、ＡＶデコーダ１５の一方の出力部は出力アナログ映像信号ＯＵＡＶを出力するビデオエンコーダ１３の入力部に接続され、ＡＶデコーダ１５の他方の出力部は出力アナログ音声信号ＯＵＡＡを出力する音声ＤＡＣ（Ｄｉｇｉｔａｌ  ｔｏ  Ａｎａｌｏｇ  Ｃｏｎｖｅｒｔｅｒ）１４の入力部に接続されている。
【００１０】
また、入出力バッファ回路１６とＨＤＤ（Ｈａｒｄ  Ｄｉｓｋ  Ｄｒｉｖｅ）インターフェース回路１８、入出力バッファ回路１６とＤＶＤ（Ｄｉｇｉｔａｌ  Ｖｅｒｓａｔｉｌｅ  Ｄｉｓｃ）インターフェース回路１９、入出力バッファ回路１６とバッファメモリ１７、ＨＤＤインターフェース回路１８とＨＤＤ２０、及びＤＶＤインターフェース回路１９とＤＶＤドライブ２１の各間には、それぞれ後述する所定の信号が入出力する信号経路が形成されている。そして、これらの各構成要素は、図示しないデータバスを介してＣＰＵ（Ｃｅｎｔｒａｌ  Ｐｒｏｃｅｓｓｉｎｇ  Ｕｎｉｔ：中央演算装置）２２により任意に制御される。
【００１１】
以上の構成によるデジタル記録再生装置の動作を説明する前に、このデジタル記録再生装置が扱うＤＶＤ−ＶＲフォーマット、ＤＶＤ−Ｖｉｄｅｏフォーマットについて説明する。
【００１２】
図２は、ＤＶＤ−ＶＲ及びＤＶＤ−Ｖｉｄｅｏの各フォーマットにおけるデジタル映像音声ストリームの構成例であり、同図（ａ）にＤＶＤ−ＶＲフォーマットのデジタル映像音声ストリーム４１を、同図（ｂ）に、後述するように本発明に基づいて生成されるＤＶＤ−ＶＲフォーマットのデジタル映像音声ストリーム４３を、そして同図（ｃ）にＤＶＤ−Ｖｉｄｅｏフォーマットのデジタル映像音声ストリーム４２をそれぞれ示す。
【００１３】
同図に示すように、各フォーマットに準拠したデジタル映像音声ストリームは、パックと呼ばれる固定バイト長のデータパケットが配列されて構成されている。このパックは、大きく分けて、映像データを格納したビデオパック５４、音声データを格納したオーディオパック５５、再生に必要な情報を格納した各フォーマットに準拠したナビゲーションパックと、その他の情報（静止画データ等）を格納した、図示しないその他のパックの４種類がある。
【００１４】
ナビゲーションパックは、ＤＶＤ−ＶＲフォーマットに準拠したＲＤＩ（Ｒｅａｌｔｉｍｅ  Ｄａｔａ  Ｉｎｆｏｒｍａｔｉｏｎ）パック５１ａと、ＤＶＤ−Ｖｉｄｅｏフォーマットに準拠したＮＶパック５１ｂがあり、同図（ｂ）に示すＲＤＩ／ＤＳＩ（Ｄａｔａ  Ｓｅａｒｃｈ  Ｉｎｆｏｒｍａｔｉｏｎ）パック５１ｃは、後述するように本発明に基づいて生成されるＤＶＤ−ＶＲフォーマットによるナビゲーションパックである。
【００１５】
デジタル映像音声ストリーム４１のＤＶＤ−ＶＲフォーマットは、主として記録再生用ＤＶＤの記録フォーマットとして用いられる場合が多く、一方のデジタル映像音声ストリーム４２のＤＶＤ−Ｖｉｄｅｏフォーマットは、再生専用ＤＶＤの記録用フォーマットとして用いられる場合が多い。ビデオパック５４とオーディオパック５５が、複数個集まってＶＯＢＵ（Ｖｉｄｅｏ  Ｏｂｊｅｃｔ  Ｕｎｉｔ）と呼ばれる単位を形成する。ここでＶＯＢＵは、再生可能な最小単位を意味しており、ＤＶＤ−ＶＲフォーマットのデジタル映像音声ストリーム４１の場合には、ＶＯＢＵの先頭にＲＤＩパック５１ａが配置されることが多く、一方、ＤＶＤ−Ｖｉｄｅｏフォーマットのデジタル映像音声ストリーム４２の場合には、ＶＯＢＵの先頭にＮＶパック５１ｂが配置される。
【００１６】
従って、ＤＶＤ−ＶＲフォーマットのデジタル映像音声ストリーム４１をＤＶＤ−Ｖｉｄｅｏフォーマットのデジタル映像音声ストリーム４２に変換する際には、図２から明らかなように、ＲＤＩパック５１ａからＮＶパック５１ｂへの変換作業が必要となる。
【００１７】
次に、これらのＲＤＩパック５１ａ、ＮＶパック５１ｂ及びＲＤＩ／ＤＳＩパック５１ｃの内部構造について説明する。図３は、これらのナビゲーションパックの構成図であって、同図（ａ）はＲＤＩパック５１ａの、同図（ｂ）は本発明に基づいてＲＤＩパック５１ａに所望の情報を追加したＲＤＩ／ＤＳＩパック５１ｃの、そして同図（ｃ）はＮVパック５１ｂの、各内部構造を示している。
【００１８】
図３（ａ）に示すように、ＲＤＩパック５１ａは、パックヘッダ／システムヘッダとＲＤＩパケットとからなる比較的簡素な構成を有し、ＲＤＩパケット内に、ＶＯＢＵに関する再生制御情報と製造者情報を格納しているだけで、ほとんどの領域を製造者が任意に使用できるＭＮＦＩエリアで占めている。
【００１９】
一方、同図（ｃ）に示すように、ＮＶパック５１ｂは、ＲＤＩパック５１ａと比較して複雑な構成で、多くの情報を含んでいる。ＮＶパック５１ｂは、パックヘッダ／システムヘッダと、再生制御情報を格納するＰＣＩ（Ｐｒｅｓｅｎｔａｔｉｏｎ  Ｃｏｎｔｒｏｌ  Ｉｎｆｏｒｍａｔｉｏｎ）パケットと、特殊再生用の情報を格納したＤＳＩ（Ｄａｔａ  Ｓｅａｒｃｈ  Ｉｎｆｏｒｍａｔｉｏｎ）パケットとから構成されている。
【００２０】
後述するフォーマット変換に伴って、ＲＤＩパック５１ａからＮＶパック５１ｂに変換を行う際に複雑な演算を行う必要があるのは、主にＮＶパック５１ｂを構成するＶＯＢＵ＿１ＳＴＲＥＦ＿ＥＡ（最初のリファレンスピクチャの最終アドレス）、ＶＯＢＵ＿２ＮＤＲＥＦ＿ＥＡ（２番目のリファレンスピクチャの最終アドレス）、ＶＯＢＵ＿３ＲＤＲＥＦ＿ＥＡ（３番目のリファレンスピクチャの最終アドレス）及びＡ＿ＳＹＮＣＡ（ビデオ開始時間の直後に再生されるオーディオフレームを含むオーディオパックアドレス）である。このうち、ＶＯＢＵ＿１ＳＴＲＥＦ＿ＥＡ、ＶＯＢＵ＿２ＮＤＲＥＦ＿ＥＡ、及びＶＯＢＵ＿３ＲＤＲＥＦ＿ＥＡは、映像データのアドレス情報であり、Ａ＿ＳＹＮＣＡは、音声データのアドレス情報である。
【００２１】
しかし、これらの所定のフォーマット情報は、映像音声信号の実時間記録時であればリアルタイムに符号化手段によって取得が可能であることから、この実時間記録時にＲＤＩパック５１ａのＭＮＦＩ領域にこれらの所定のフォーマット情報を格納し、保存しておく手法が知られている。一方、図３（ｂ）に示す本発明によるＲＤＩ／ＤＳＩパック５１ｃでは、同図に示すように、ＲＤＩパック５１ａの情報を、ＲＤＩパケットに収めると共に、更にこれらの所定のフォーマット情報の格納位置を、ＮＶパック５１ｂ内における所定の位置に合わせて、ＤＳＩパケットに配置している。
【００２２】
以上のように、上記の所定のフォーマット情報を、ＮＶパック５１ｂ内における所定の位置に合わせて配置しておくことによって、ダビング時のフォーマット変換に伴うデータの抽出、移動の処理を省略することができる。
【００２３】
図２（ｂ）に示すＤＶＤ−ＶＲフォーマットのデジタル映像音声ストリーム４３は、同図（ａ）に示す通常のＤＶＤ−ＶＲフォーマットのデジタル映像音声ストリーム４１のＲＤＩパック５１ａを、前記のＲＤＩ／ＤＳＩパック５１ｃへ変換した構造となっている。従ってこのデジタル映像音声ストリーム４３は、ＤＶＤ−ＶＲフォーマットに則って形成したデジタル映像音声ストリーム４１に所定のフォーマット情報を加えた第１のデジタル映像及び／又は音声信号に相当する。
【００２４】
図１に示すデジタル記録再生装置は、上記した手順に従って、入力したアナログ映像音声信号を、符号化手段によってＤＶＤ−ＶＲフォーマットに準拠したデジタル映像音声ストリームに変換してハードディスク等の第１の記録媒体に記録し、更にＤＶＤ−Ｖｉｄｅｏフォーマットに準拠したデジタル映像音声ストリームに変換してＤＶＤ等の第２の記録媒体にダビングする記録再生装置の一例を示すもので、その動作について以下に説明する。
【００２５】
入力アナログ音声信号ＩＮＡＶと入力アナログ音声信号ＩＮＡＡは、それぞれビデオデコーダ１０と音声ＡＤＣ１１により、デジタル映像信号ＩＮＤＶとデジタル音声信号ＩＮＤＡに変換される。
【００２６】
図４は、これらのデジタル映像信号ＩＮＤＶとデジタル音声信号ＩＮＤＡ入力して後述する信号処理を実行するＡＶエンコーダ１２の内部構成図である。
【００２７】
同図において、映像信号符号化回路３１は、デジタル映像信号ＩＮＤＶを入力し、ＭＰＥＧ（Ｍｏｖｉｎｇ  Ｐｉｃｔｕｒｅｓ  Ｅｘｐｅｒｔｓ  Ｇｒｏｕｐ）−２方式でこれを符号化したビデオパック５４に逐次変換して信号合成回路３４に出力する。一方、音声信号符号化回路３２は、デジタル音声信号ＩＮＤＡを入力し、Ｄｏｌｂｙ  ＡＣ−３方式でこれを符号化したオーディオパック５５に逐次変換して信号合成回路３４に出力する。ナビゲーションパック生成回路３３は、映像信号符号化回路３１及び音声信号符号化回路３２から必要な情報を入力し、図３（ｂ）に示すＲＤＩ／ＤＳＩパック５１ｃを形成して信号合成回路３４に出力する。
【００２８】
このナビゲーションパック生成回路３３は、ＲＤＩ／ＤＳＩパック５１ｃの形成に際して、ＲＤＩパック５１ａに含まれる情報をそのＲＤＩパケットに含ませると共に、ＶＯＢＵ＿１ＳＴＲＥＦ＿ＥＡ、ＶＯＢＵ＿２ＮＤＲＥＦ＿ＥＡ、ＶＯＢＵ＿３ＲＤＲＥＦ＿ＥＡ及びＡ＿ＳＹＮＣＡの各フォーマット情報を取得する。この取得には多くの演算時間が必要となるが、ビデオパック５４やオーディオパック５５の生成と同期して処理する際には時間的に十分処理可能である。そして、取得したこれら所定のフォーマット情報を図３（ｃ）に示すＮＶパック５１ｂに準ずる配列位置に対応するＤＳＩパケット内の所定の位置に配置する。
【００２９】
具体的には、ＲＤＩ／ＤＳＩパック５１ｃの先頭から数えたＶＯＢＵ＿１ＳＴＲＥＦ＿ＥＡ情報、ＶＯＢＵ＿２ＮＤＲＥＦ＿ＥＡ情報、ＶＯＢＵ＿３ＲＤＲＥＦ＿ＥＡ情報、及びＡ＿ＳＹＮＣＡ情報の挿入位置が、それぞれＮＶパック５１ｂの先頭から数えたＶＯＢＵ＿１ＳＴＲＥＦ＿ＥＡ情報、ＶＯＢＵ＿２ＮＤＲＥＦ＿ＥＡ情報、ＶＯＢＵ＿３ＲＤＲＥＦ＿ＥＡ情報、及びＡ＿ＳＹＮＣＡ情報の位置と等しくなるようにする。信号合成回路３４は、これらのビデオパック５４、オーディオパック５５及びＲＤＩ／ＤＳＩパック５１ｃを順次入力し、図２（ｂ）に示すＲＤＩ／ＤＳＩパック５１ｃを有するＤＶＤ−ＶＲフォーマットに準拠したデジタル映像音声ストリーム４３を形成して入出力バッファ回路１６に転送する。
【００３０】
入出力バッファ回路１６に転送されたこのデジタル映像音声ストリーム４３は、バッファメモリ１７に一時的に蓄積され、ＨＤＤインターフェース回路１８を介してＨＤＤ２０に記録される。このＨＤＤインターフェース回路１８は、この記録時に、入出力バッファ回路１６から受け取ったデータを、ＡＴＡＰＩ（ＡＴ  Attachment with Packet Interface）等のＨＤＤインターフェース信号に変換してＨＤＤ２０へ書き込み動作を行い、逆に、後述するＨＤＤ２０からの再生時、ＨＤＤ２０から読み出し動作を行い、ＡＴＡＰＩ等のＨＤＤインターフェース信号の中からデータを抽出して入出力バッファ回路１６に転送する。以上が、入力したアナログ映像音声信号を、ＲＤＩ／ＤＳＩパック５１ｃを有するＤＶＤ−ＶＲフォーマットのデジタル映像音声ストリーム４３に変換し、第１の記録媒体としてのＨＤＤ２０に記録するまでの手順である。
【００３１】
尚、本実施の形態によらない通常処理の場合には、ＡＶエンコーダは、上記したビデオパック５４及びオーディオパック５５の生成と共にＲＤＩパック５１ａを生成してＤＶＤ−ＶＲフォーマットのデジタル映像音声ストリーム４１を形成し、入出力バッファ回路１６に転送して同様の記録処理が行なわれる。
【００３２】
また以上の説明から、ビデオデコーダ１０、音声ＡＤＣ１１、及びＡＶエンコーダ１２を、入力したアナログ映像音声信号を、第１のフォーマットに則って形成したデジタル映像音声ストリームに所定のフォーマット情報を加えた第１のデジタル映像音声信号に変換する第１の変換手段とし、ＡＶエンコーダ１２のナビゲーションパック生成回路３３を、第２のフォーマットに準ずる所定のフォーマット情報を取得すると共に、このフォーマット情報を、第２のフォーマットに準ずる配列位置に対応させて配置したナビゲーションパックを生成するナビゲーションパック生成手段とし、更に、バッファメモリ１７を伴う入出力バッファ回路１６、ＨＤＤインターフェース回路１８、及びＨＤＤ２０を、第１のデジタル映像音声信号を第１の記録媒体に記録する手段とすることができる。
【００３３】
次に再生時の手順について説明する。ＨＤＤ２０に記録されたＲＤＩ／ＤＳＩパック５１ｃを有するＤＶＤ−ＶＲフォーマットのデジタル映像音声ストリーム４３（図２（ｂ））は、ＨＤＤインターフェース回路１２を介して入出力バッファ回路１６に転送され、バッファメモリ１７に一時的に蓄積された後、ＡＶデコーダ１５に転送される。ＡＶデコーダ１５では、ビデオパック５４に対し、ＭＰＥＧ−２方式の復号化を行ってデジタル映像信号を復元すると共に、オーディオパック５５に対し、Ｄｏｌｂｙ  ＡＣ−３方式の復号化を行ってデジタル音声信号を復元する。復元されたデジタル映像音声信号は、それぞれビデオエンコーダ１３と音声ＤＡＣ１４により、出力アナログ映像信号ＯＵＡＶと出力アナログ音声信号ＯＵＡＡとして再生される。
【００３４】
この時の再生に必要とされる時間情報等は、ＲＤＩパック５１ａから取得するものであるが、ＲＤＩ／ＤＳＩパック５１ｃは、ＲＤＩパック５１ａが有する情報を、そのＲＤＩパケットに全て備えているため、ＨＤＤ２０に記録されたＤＶＤ−ＶＲフォーマットのデジタル映像音声ストリーム４３を再生する際には、何の問題も生じない。尚、ＨＤＤ２０ＨＤＤ及びインターフェース回路１８を、前記した第１のデジタル映像音声信号を再生する手段とすることができる。
【００３５】
次に第２の記録媒体としてのＤＶＤへのダビング時の手順について説明する。ＨＤＤ２０に記録されたＲＤＩ／ＤＳＩパック５１ｃを有するＤＶＤ−ＶＲフォーマットのデジタル映像音声ストリーム４３（図２（ｂ））は、ＨＤＤインターフェース回路１８を介して入出力バッファ回路１６に転送された後、バッファメモリ１７に一時的に蓄積される。バッファメモリ１７は、ＣＰＵ２２から入出力バッファ回路１６を介して任意に読み書きが可能なように構成されており、このダビング時にＣＰＵ２２は、バッファメモリ１７に格納されたＲＤＩ／ＤＳＩパック５１ｃ（図３（ｂ））を、ＮＶパック５１ｂ（図３（ｃ））に書き換える。
【００３６】
通常、ＮＶパック５１ｂのＤＳＩパケットに含まれるＶＯＢＵ＿１ＳＴＲＥＦ＿ＥＡ、ＶＯＢＵ＿２ＮＤＲＥＦ＿ＥＡ、ＶＯＢＵ＿３ＲＤＲＥＦ＿ＥＡ及びＡ＿ＳＹＮＣＡのフォーマット情報を得るには、多大な演算量を必要とするが、ＲＤＩ／ＤＳＩパック５１ｃには既にそれらのフォーマット情報が格納されているので、このダビング時においてこれらのフォーマット情報を得るための演算を必要としない。更にＲＤＩ／ＤＳＩパック５１ｃでは、これらのフォーマット情報の格納位置が既にＮＶパック５１ｂの位置と整合しているため、ＣＰＵ２２がデータを一旦読み出した後に、再度書き込みを行うといったデータ移動の処理を省略することができ、演算量を更に低減することができる。
【００３７】
尚、ＮＶパック５１ｂに示すパラメータの中で、前記ＶＯＢＵ＿１ＳＴＲＥＦ＿ＥＡ、ＶＯＢＵ＿２ＮＤＲＥＦ＿ＥＡ、ＶＯＢＵ＿３ＲＤＲＥＦ＿ＥＡ及びＡ＿ＳＹＮＣＡ以外の情報は、このダビング時に演算で求める必要があるが、多大な演算量を必要とするものは存在しない。従って、このダビング時においては、小規模の演算処理によってＲＤＩ／ＤＳＩパック５１ｃから、ＮＶパック５１ｂへの書き換えが終了する。
【００３８】
ＲＤＩ／ＤＳＩパック５１ｃからＮＶパック５１ｂへの書き換えを完了したバッファメモリ１７内のデータは、ＤＶＤ−Ｖｉｄｅｏフォーマットのデジタル映像音声ストリーム４２（図２（ｃ））として扱うことが可能で、入出力バッファ回路１６からＤＶＤインターフェース回路１９を介して、ＤＶＤドライブ２１に装着されたＤＶＤに記録される。このＤＶＤインターフェース回路１９は、入出力バッファ回路１６から受け取ったデータを、ＡＴＡＰＩ等のＤＶＤインターフェース信号に変換してＤＶＤ２１へ書き込み動作を行い、逆に、ＤＶＤ２１からの再生時、ＤＶＤ２１から読み出し動作を行い、ＡＴＡＰＩ等のＤＶＤインターフェース信号の中からデータを抽出して入出力バッファ回路１６に転送する。
【００３９】
尚、以上の説明から、バッファメモリ１７を伴う入出力バッファ回路１６及びＣＰＵ２２を、前記した第１のデジタル映像音声信号を第２のフォーマットに則った第２のデジタル映像音声信号に変換する第２の変換手段とし、ＤＶＤインターフェース回路１９及びＤＶＤドライブ２１を、第２のデジタル映像音声信号を第２の記録媒体に記録する手段とすることができる。
【００４０】
以上説明したように、本実施の形態のデジタル記録再生装置によれば、ダビング時における、ＤＶＤ−ＶＲからＤＶＤ−Ｖｉｄｅｏへのフォーマット変換時に必要な演算処理を極力抑えることができるので、高速なダビング処理が可能になる。もしくは高速な演算処理を伴わないので、高速なＣＰＵを使用する必要がなく、記録再生装置を安価に構成することができる。
【００４１】
尚、前記した実施の形態では、ＡＶエンコーダ１２において、前記した所定のフォーマット情報を取得し、更にＲＤＩ／ＤＳＩパック５１ｃの所定位置への配置を行ったが、これに限定されるものではない。例えばＡＶエンコーダ１２では前記した所定のフォーマット情報を取得するだけで、通常の、ＲＤＩパック５１ａを含むＤＶＤ−ＶＲフォーマットのデジタル映像音声ストリーム４１を入出力バッファ回路１６に転送し、一方で、ＣＰＵ２２がＡＶエンコーダ１２から所定のフォーマット情報を一旦取得し、入出力バッファ回路１６を介してバッファメモリ１７内部に格納されたＲＤＩパック５１ａに対して所定の位置に挿入するように構成してもよい。この場合、ナビゲーションパック生成手段としては、ＡＶエンコーダ１２の他に、ＣＰＵ２２、及びバッファメモリ１７を伴う入出力バッファ回路１６も該当する。
【００４２】
また、前記実施の形態では、図１に示すデジタル記録再生装置がアナログの映像音声信号を入力するように構成したが、これに限定されるものではなく、デジタル非圧縮の映像音声信号、例えばＩＴＵ−Ｒ６５６信号やＰＣＭ（Ｐｕｌｓｅ  Ｃｏｄｅ  Ｍｏｄｕｌａｔｉｏｎ）オーディオ信号を入力するようにしても良く、この場合ビデオデコータ１０と音声ＡＤＣは、パスされる。
更に、前記実施の形態では、映像音声信号を記録し、ダビングする例を示したが、音声信号のみ、或いは映像信号のみを記録し、ダビングしても良いのは勿論である。
【産業上の利用可能性】
【００４３】
本発明の活用例として、第１の記録媒体としてＨＤＤを用い、第２の記録媒体としてＤＶＤを用いたＤＶＤ／ＨＤＤハイブリッドレコーダに適用できる。また記録メディアによらず、第１の記録媒体から第２の記録媒体に対し、フォーマット変換を伴うダビングを行うような機器に応用できる。
【図面の簡単な説明】
【００４４】
【図１】本発明によるデジタル記録再生装置に基づく実施の形態１のデジタル記録再生装置の要部構成を示すブロック図である。
【図２】ＤＶＤ−ＶＲ及びＤＶＤ−Ｖｉｄｅｏの各フォーマットにおけるデジタル映像音声ストリームの構成例であり、（ａ）にＤＶＤ−ＶＲフォーマットのデジタル映像音声ストリーム４１を、（ｂ）に、本発明に基づいて生成されるＤＶＤ−ＶＲフォーマットのデジタル映像音声ストリーム４３を、そして（ｃ）にＤＶＤ−Ｖｉｄｅｏフォーマットのデジタル映像音声ストリーム４２をそれぞれ示す。
【図３】ナビゲーションパックの構成図であって、（ａ）はＲＤＩパック５１ａの、（ｂ）は本発明に基づいてＲＤＩパック５１ａに所望の情報を追加したＲＤＩ／ＤＳＩパック５１ｃの、そして（ｃ）はＮVパック５１ｂの、各内部構造を示している。
【図４】ＡＶエンコーダ１２の内部構成図である。
【符号の説明】
【００４５】
１０  ビデオデコーダ、  １１  音声ＡＤＣ、  １２  ＡＶエンコーダ、  １３  ビデオエンコーダ、  １４  音声ＤＡＣ、  １５  ＡＶデコーダ、  １６  入出力バッファ回路、  １７  バッファメモリ、  １８  ＨＤＤインターフェース回路、  １９  ＤＶＤインターフェース回路、  ２０  ＨＤＤ、  ２１  ＤＶＤドライブ、  ２２  ＣＰＵ、  ３１  映像符号化回路、  ３２  音声信号符号化回路、  ３３  ナビゲーションパック生成回路、  ３４  信号合成回路、  ４１  ＤＶＤ−ＶＲフォーマットのデジタル映像音声ストリーム、  ４２  ＤＶＤ−Ｖｉｄｅｏフォーマットのデジタル映像音声ストリーム、  ４３  実施の形態１によって生成されるＤＶＤ−ＶＲフォーマットのデジタル映像音声ストリーム、  ５１ａ  ＲＤＩパック、  ５１ｂ  ＮＶパック、  ５１ｃ  ＲＤＩ／ＤＳＩパック、  ５４  ビデオパック、  ５５  オーディオパック。
【図１】
2005141788.tif 000003
【図２】
2005141788.tif 000004
【図３】
2005141788.tif 000005
【図４】
2005141788.tif 000006